【手続補正書】
【提出日】平成28年1月15日(2016.1.15)
【手続補正１】
【補正対象書類名】特許請求の範囲
【補正対象項目名】全文
【補正方法】変更
【補正の内容】
【特許請求の範囲】
【請求項１】
２つ以上のターゲット面に対して同時に接着することができる取り外し可能な表面接着装置であって、
第１接着パッドと第２接着パッドであって、それぞれ独立して、
平面バッキング層と、
少なくとも１つの側に接着表面を有する弾性の平面層であって、前記弾性の平面層は、ターゲット面に対して押し付けられた際に前記ターゲット面に接着し、かつ、前記接着表面の反対側で前記平面バッキング層に適用される、弾性の平面層と、を備える第１及び第２の接着パッドと、
２つ以上のターゲット面に対して同時に接着することができる表面接着装置を形成するために前記第１及び第２の接着パッドに取り付けられたテザー要素と、
を備える、取り外し可能な表面接着装置。
【請求項２】
前記テザー要素は、前記第１接着パッドの平面バッキング層に取り付けられる近位端と、前記第２接着パッドの平面バッキング層に取り付けられる遠位端とを有する、請求項１に記載の取り外し可能な表面接着装置。
【請求項３】
前記第１接着パッドの前記平面バッキング層と、前記テザー要素と、前記第２接着パッドの前記平面バッキング層とが合わさり繋がって、単一連続平面要素を形成する、請求項２に記載の取り外し可能な表面接着装置。
【請求項４】
前記第１接着パッドの前記接着表面と前記第２接着パッドの前記接着表面とは、前記単一連続平面要素の同じ側にある、請求項３に記載の取り外し可能な表面接着装置。
【請求項５】
前記第１接着パッドの前記接着表面と前記第２接着パッドの前記接着表面とは、前記単一連続平面要素の反対側にある、請求項３に記載の取り外し可能な表面接着装置。
【請求項６】
前記第１接着パッドの前記平面バッキング層は前記テザー要素の前記近位端に取り付けられ、前記テザー要素は前記遠位端で前記第２接着パッドの前記平面バッキング層に取り付けられ、前記第１接着パッドの平面バッキング層、前記テザー要素及び前記第２接着パッドの前記平面バッキング層は、繋がって単一連続平面要素を形成しない、請求項２に記載の取り外し可能な表面接着装置。
【請求項７】
前記第１接着パッドの前記接着表面と前記第２接着パッドの前記接着表面とは前記テザー要素の同じ側に配置される、請求項６に記載の取り外し可能な表面接着装置。
【請求項８】
前記第１接着パッドの前記接着表面と前記第２接着パッドの前記接着表面とは前記テザー要素の反対側に配置される、請求項６に記載の取り外し可能な表面接着装置。
【請求項９】
前記テザー要素の前記近位端は、前記第１接着パッドの前記バッキング層の実質的に中心に取り付けられ、前記テザー要素の前記遠位端は、前記第２接着パッドの前記バッキング層の実質的に中心に取り付けられる、請求項７または請求項８に記載の取り外し可能な表面接着装置。
【請求項１０】
前記テザー要素の前記近位端は前記第１接着パッドの前記バッキング層の中心から実質的に離れて取り付けられ、前記テザー要素の前記遠位端は前記第２接着パッドの前記バッキング層の中心から実質的に離れて取り付けられる、請求項７または請求項８に記載の取り外し可能な表面接着装置。
【請求項１１】
前記テザー要素の前記近位端は前記第１接着パッドの前記バッキング層の実質的に中心に取り付けられ、前記テザー要素の前記遠位端は前記第２接着パッドの前記バッキング層の中心から実質的に離れて取り付けられる、請求項７または請求項８に記載の取り外し可能な表面接着装置。
【請求項１２】
前記第１接着パッドの前記平面バッキング層と前記テザー要素とは、合わさって単一連続平面要素を形成し、前記第２接着パッドの前記平面バッキング層とは、合わさって単一連続平面要素を形成しない、請求項２に記載の取り外し可能な表面接着装置。
【請求項１３】
２つのターゲット面に同時に接着することができる取り外し可能な表面接着装置であって、
第１接着パッドであって、
第１平面バッキング層と、
ターゲット面に接着するために少なくとも１つの側に第１の接着表面を有する弾性又は粘弾性材料の第１平面層であって、前記弾性又は粘弾性材料は少なくとも前記第１の接着表面の反対側で前記第１平面バッキング層上に含浸される、平面層と、
を備える第１接着パッドと、
前記第１平面バッキング層への取り付けを介して前記第１接着パッドに取り付けられる第１テザー要素と、
第２接着パッドであって、
第２平面バッキング層と、
ターゲット面に接着するために少なくとも１つの側に第２の接着表面を有する弾性又は粘弾性材料の第２平面層であって、前記弾性又は粘弾性材料は少なくとも前記第２の接着表面の反対側で前記第２平面バッキング層上に含浸される、平面層と、
を備える第２接着パッドと、
前記第２平面バッキング層への取り付けを介して前記第２接着パッドに取り付けられる第２テザー要素と、を備え、
各前記第１テザー要素と前記第２テザー要素とは、それぞれ、第１ファスナおよび第２ファスナを備え、前記第１ファスナと前記第２ファスナとはそれらの間のロッキング機構を介して前記第１テザー要素と前記第２テザー要素とを機械的に連結することができる、取り外し可能な表面接着装置。
【請求項１４】
前記第１平面バッキング層と前記第１テザー要素とは合わさり繋がって第１の単一連続平面要素を形成し、前記第２平面バッキング層と前記第２テザー要素とは合わさり繋がって第２の単一連続平面要素を形成する、請求項１３に記載の取り外し可能な表面接着装置。
【請求項１５】
前記第１ファスナと前記第２ファスナとがロッキング機構を介して機械的に連結される場合、前記第１接着パッドの前記接着表面と前記第２接着パッドの前記接着表面とは前記単一連続平面要素と同じ側にある、請求項１４に記載の取り外し可能な表面接着装置。
【請求項１６】
前記第１ファスナと前記第２ファスナとがロッキング機構を介して機械的に連結される場合、前記第１接着パッドの前記接着表面と前記第２接着パッドの前記接着表面とは前記単一連続平面要素の反対側にある、請求項１４に記載の取り外し可能な表面接着装置。
【請求項１７】
前記第１平面バッキング層と前記第１テザー要素とは合わさり単一連続平面要素を形成せず、前記第２平面バッキング層と前記第２テザー要素とは合わさり単一連続平面要素を形成しない、請求項１３に記載の取り外し可能な表面接着装置。
【請求項１８】
前記第１ファスナと前記第２ファスナとがロッキング機構を介して機械的に連結される場合、前記第１接着パッドの前記接着表面と前記第２接着パッドの前記接着表面とは前記テザー要素の同じ側に配置される、請求項１７に記載の取り外し可能な表面接着装置。
【請求項１９】
前記第１ファスナと前記第２ファスナとがロッキング機構を介して機械的に連結される場合、前記第１接着パッドの前記接着表面と前記第２接着パッドの前記接着表面とは前記テザー要素の反対側に配置される、請求項１７に記載の取り外し可能な表面接着装置。
【請求項２０】
前記第１平面バッキング層と前記第１テザー要素とは合わさり第１単一連続平面要素を形成し、前記第２平面バッキング層と前記第２テザー要素とは合わさり第２単一連続平面要素を形成しない、請求項１３に記載の取り外し可能な表面接着装置。
【請求項２１】
２つ以上のターゲット面に同時に接着することができる取り外し可能な表面接着装置であって、２つ以上の弾性の平面層を備え、各弾性の平面層は、一方の側に接着表面を有し、もう一方の側にバッキング層を有し、ターゲット面に対して押し付けられた際に前記ターゲット面に接着し、かつ、前記バッキング層に適用され、
各バッキング層の一部は、前記弾性の平面層が適用されていない前記バッキング層の領域を形成するために前記弾性の平面層を越えて延在する、取り外し可能な表面接着装置。
【請求項２２】
各接着表面は、微視的にパターンが付与されている、請求項２１に記載の取り外し可能な表面接着装置。
【請求項２３】
前記各バッキング層は織物バッキング層であって、前記織物バッキング層は、綿、麻、羊毛、絹、竹糸、セルロース、黄麻、ピーニャ、ポリエステル、スパンデックス、ナイロン、炭素繊維、ポリアラミド、炭素繊維ポリアラミドハイブリッド、炭素繊維玄武岩ハイブリッド、ガラス繊維、炭素繊維及びガラス繊維ハイブリッドの少なくとも一つを含む、請求項２１又は請求項２２に記載の取り外し可能な表面接着装置。
【請求項２４】
前記各弾性の平面層は、異なる種類の弾性材料を備える、請求項２１乃至請求項２３のいずれか一項に記載の取り外し可能な表面接着装置。
【請求項２５】
前記各弾性の平面層は、約０．０１ｃｍ２〜約１０００ｃｍ２の平滑な接着表面積を有し、約０．０００１ｃｍから約０．５ｃｍの実質的に均一な厚さを有する、請求項２１乃至請求項２４のいずれか一項に記載の取り外し可能な表面接着装置。
【請求項２６】
前記各弾性の平面層は、約０．０５ＭＰａ〜約５０ＭＰａの弾性係数を有する弾性材料を有する、請求項２１乃至請求項２５のいずれか一項に記載の取り外し可能な表面接着装置。
【請求項２７】
前記各接着表面は、１ｃｍ２以上の面積を有し、接着表面積の１ｃｍ２当たりにおいて少なくとも１２Ｎの重量に耐えることが可能である、請求項２１乃至請求項２６のいずれか一項に記載の取り外し可能な表面接着装置。
【請求項２８】
前記各バッキング層に接着するテザー要素を備え、各テザー要素は織物材料を備える、請求項２１乃至請求項２７のいずれか一項に記載の取り外し可能な表面接着装置。
【請求項２９】
前記各弾性の平面層は、実質的に円形、長方形、楕円形または不整形の外周を備える、請求項２１乃至請求項２８のいずれか一項に記載の取り外し可能な表面接着装置。
【請求項３０】
前記各弾性の平面層は、２つ以上の個別のより小さい弾性の平面層のユニットを備える、請求項２１乃至請求項２９のいずれか一項に記載の取り外し可能な表面接着装置。
【請求項３１】
前記各弾性の平面層は、ブロック共重合体エラストマー、シロキサン系エラストマー、ウレタン系エラストマーおよびアクリレート系エラストマーの少なくとも一つから構成されている、請求項２１乃至請求項３０のいずれか一項に記載の取り外し可能な表面接着装置。